(57)【特許請求の範囲】
【請求項１】
回動自在に配された門扉の外側に設けられると共にこの門扉に並設された門柱又は他の門扉に設けられる閂受けに挿脱される閂と、
前記閂及び閂受けを覆蓋可能に開閉する前記門扉に設けられたカバー部材と、
前記カバー部材を前記閂及び閂受けを覆蓋した状態で前記門扉の外側から施解錠するカバー部材施解錠手段と、
前記カバー部材で覆蓋された前記門扉の部分に設けられた開口部と
を有して構成されることを特徴とする門扉の施解錠装置。
【請求項２】
前記開口部に代えて前記閂を前記門扉の内側及び外側から前記閂受けに挿脱させる閂駆動操作機構を設けたことを特徴とする請求項１記載の門扉の施解錠装置。
【請求項３】
前記閂を前記閂受けに挿着した状態で前記門扉の外側から前記閂を施
解錠する閂施解錠手段を更に設けたことを特徴とする請求項１記載の門扉の施解錠装置。
【請求項４】
請求項１に記載の門扉の施解錠装置を用いた施解錠方法において、
前記門扉の外側から前記カバー部材施解錠手段を解錠して前記カバー部材を開く工程と、
前記閂を前記閂受けから外す工程と、
前記カバー部材を閉じて前記カバー部材施解錠手段を施錠する工程と、
前記門扉を開いて外側から内側に入門し、前記門扉の内側から前記開口部を介して前記閂を操作することで該閂を前記閂受けに挿着させる工程と
を具備することを特徴とする門扉の施解錠方法。
【請求項５】
請求項１に記載の門扉の施解錠装置を用いた施解錠方法において、
前記門扉の内側から前記開口部を介して前記閂を操作することで該閂を前記閂受けから外す工程と、
前記門扉を開いて内側から外側へ退門し、前記門扉の外側から前記カバー部材施解錠手段を解錠して前記カバー部材を開く工程と、
前記閂を前記閂受けに挿着する工程と、
前記カバー部材を閉じて前記カバー部材施解錠手段を施錠する工程と
を具備することを特徴とする門扉の施解錠方法。
【請求項６】
請求項２に記載の門扉の施解錠装置を用いた施解錠方法において、
前記門扉の外側から前記カバー部材施解錠手段を解錠して前記カバー部材を開く工程と、
前記閂を前記閂駆動操作機構を操作して前記閂受けから外す工程と、
前記カバー部材を閉じて前記カバー部材施解錠手段を施錠する工程と、
前記門扉を開いて外側から内側に入門し、前記門扉の内側から前記閂駆動操作機構を操作して前記閂を前記閂受けに挿着させる工程と
を具備することを特徴とする門扉の施解錠方法。
【請求項７】
請求項２に記載の門扉の施解錠装置を用いた施解錠方法において、
前記門扉の内側から前記閂駆動操作機構を操作して前記閂を前記閂受けから外す工程と、
前記門扉を開いて内側から外側へ退門し、前記門扉の外側から前記カバー部材施解錠手段を解錠して前記カバー部材を開く工程と、
前記門扉の外側から前記閂駆動操作機構を操作して前記閂を前記閂受けに挿着させる工程と、
前記カバー部材を閉じて前記カバー部材施解錠手段を施錠する工程と
を具備することを特徴とする門扉の施解錠方法。
【請求項８】
請求項３に記載の門扉の施解錠装置を用いた施解錠方法において、
最初の入門者に対して、
前記門扉の外側から前記カバー部材施解錠手段を解錠して前記カバー部材を開く工程と、
前記閂施解錠手段を解錠して前記閂を前記閂受けから外す工程と、
前記カバー部材を閉じて前記カバー部材施解錠手段を施錠する工程と、
前記門扉を開いて外側から内側に入門し、前記門扉の内側から前記開口部を介して前記閂を操作することで該閂を前記閂受けに挿着させる工程と
を具備し、最初の入門者以外の入門者に対して、
前記門扉の外側から前記カバー部材施解錠手段を解錠して前記カバー部材を開く工程と、
前記閂を前記閂受けから外す工程と、
前記カバー部材を閉じて前記カバー部材施解錠手段を施錠する工程と、
前記門扉を開いて外側から内側に入門し、前記門扉の内側から前記開口部を介して前記閂を操作することで該閂を前記閂受けに挿着させる工程と
を具備することを特徴とする門扉の施解錠方法。
【請求項９】
請求項３に記載の門扉の施解錠装置を用いた施解錠方法において、
最後の退門者以外の退門者に対して、
前記門扉の内側から前記開口部を介して前記閂を操作することで該閂を前記閂受けから外す工程と、
前記門扉を開いて内側から外側へ退門し、前記門扉の外側から前記カバー部材施解錠手段を解錠して前記カバー部材を開く工程と、
前記閂を前記閂受けに挿着する工程と、
前記カバー部材を閉じて前記カバー部材施解錠手段を施錠する工程と
を具備し、最後の退門者に対して、
前記門扉の内側から前記開口部を介して前記閂を操作することで該閂を前記閂受けから外す工程と、
前記門扉を開いて内側から外側へ退門し、前記門扉の外側から前記カバー部材施解錠手段を解錠して前記カバー部材を開く工程と、
前記閂を前記閂受けに挿着して前記閂施解錠手段を施錠する工程と、
前記カバー部材を閉じて前記カバー部材施解錠手段を施錠する工程と
を具備することを特徴とする門扉の施解錠方法。
【発明の詳細な説明】
【技術分野】
【０００１】
この発明は、電気所などに施設された門扉に設けられる施解錠装置とこれを用いた施解
錠方法に関する。
【背景技術】
【０００２】
例えば、制御所，発電所，変電所，開閉所などの電気所においては、内側から施錠可能な網状パネル製の錠付き門扉が網状フェンスや門柱間等に設けられ（特許文献１，２参照）、関係者が入門している最中は、セキュリティー等の問題上、関係者以外が入門できないように内側から施錠するようにしている。
【特許文献１】特開２００３−１６６３８８号公報
【特許文献２】特開２００４−２７６５３号公報
【発明の開示】
【発明が解決しようとする課題】
【０００３】
ところが、従来の門扉の施解錠装置にあっては、関係者が外側の錠を外して門扉を開き、内側に入って内側から施錠する構成であるため、次の関係者が入門しようとしても入ることができず、わざわざ入門者を呼び出して開門してもらう必要がある。
【０００４】
このような不都合を無くすために門扉に開口部を設けておき、入門した者が開口部を介して内側から外側へ手を伸ばし、門扉を施錠することも考えられるが、手を出すことができる程度の開口部を設けることは、小動物などの侵入を許すことになり、また、内側から手を出して門扉を施解錠することは困難を伴う。
【０００５】
門扉の外側を内側から施解錠することが困難である場合には、別の扉から一旦外側へ回って門扉を施錠する方法もあるが、外側から施錠してしまうと、内側に入門している関係者が退門したい場合に、すぐに外側へ出られなくなる不都合もある。
【０００６】
そこで、この発明においては、関係者の入門中についてもセキュリティーを確保しつつ小動物の侵入を防ぐと共に、次の入門者の入門を本人の解錠操作のみによって実現することができ、また、内側からの施解錠操作が容易に行え、内側から退出したい場合に容易に退門することが可能な門扉の施解錠装置とこれを用いた施解錠方法を提供することを主たる課題としている。
【課題を解決するための手段】
【０００７】
上記課題を達成するために、本発明にかかる門扉の施解錠装置は、回動自在に配された門扉の外側に設けられると共にこの門扉に並設された門柱又は他の門扉に設けられた閂受けに挿脱される閂と、前記閂及び閂受けを覆蓋可能に開閉する前記門扉に設けられたカバー部材と、前記カバー部材を前記閂及び閂受けを覆蓋した状態で前記門扉の外側から施解錠するカバー部材施解錠手段と、前記カバー部材で覆蓋された門扉の部分に設けられた開口部とを有して構成されることを特徴としている（請求項１）。
【０００８】
したがって、このような施解錠装置を用いて門扉の外側から内側に入門する場合には、前記門扉の外側から前記カバー部材施解錠手段を解錠して前記カバー部材を開く工程と、前記閂を前記閂受けから外す工程と、前記カバー部材を閉じて前記カバー部材施解錠手段を施錠する工程と、前記門扉を開いて外側から内側に入門し、前記門扉の内側から前記開口部を介して前記閂を操作することで該閂を前記閂受けに挿着させる工程の各操作を行えばよく（請求項４）、また、次に入門しようとする者も、同様の操作を繰り返せばよく、入門しようとする本人の解錠操作のみによって入門することが可能となる。
【０００９】
しかも、カバー部材を外側から施錠した状態で内側から門扉の閂を入門者の操作によって閂受けに挿着させることができるので、関係者以外の者の侵入を防ぐことが可能となり、また、開口部はカバー部材で覆われているので、小動物の侵入も防ぐことが可能となる。
【００１０】
上述の施解錠装置を用いて門扉の内側から外側に退門する場合には、前記門扉の内側から前記開口部を介して前記閂を操作することで該閂を前記閂受けから外す工程と、前記門扉を開いて内側から外側へ退門し、前記門扉の外側から前記カバー部材施解錠手段を解錠して前記カバー部材を開く工程と、前記閂を前記閂受けに挿着する工程と、前記カバー部材を閉じて前記カバー部材施解錠手段を施錠する工程との各操作を行えばよく（請求項５）、また、次に退門しようとする者も、同様の操作を繰り返せばよく、セキュリティーを確保しつつ退門することが可能となる。特に、内側からは、閂を閂受けから外すだけで外側へ出られるので、退出したい場合に速やかな退門を実現することが可能となる。
【００１１】
上述の構成に対して、前記開口部に代えて前記閂を前記門扉の内側及び外側から前記閂受けに挿脱させる閂駆動操作機構を設けてもよい（請求項２）。
【００１２】
このような構成の施解錠装置を用いて門扉の外側から内側に入門する場合には、前記門扉の外側から前記カバー部材施解錠手段を解錠して前記カバー部材を開く工程と、前記閂を前記閂駆動操作機構を操作して前記閂受けから外す工程と、前記カバー部材を閉じて前記カバー部材施解錠手段を施錠する工程と、前記門扉を開いて外側から内側に入門し、前記門扉の内側から前記閂駆動操作機構を操作して前記閂を前記閂受けに挿着させる工程との各操作を行えばよく（請求項６）、また、次に入門しようとする者も、同様の操作を繰り返せばよく、入門しようとする本人の解錠操作のみによって入門することが可能となる。
【００１３】
しかも、カバー部材を外側から施錠した状態で内側から門扉の閂を入門者の操作によって閂受けに挿着させることができるので、関係者以外の者の侵入を防ぐことが可能となり、また、開口部はカバー部材で覆われているので、小動物の侵入も防ぐことが可能となる。
【００１４】
そして、上述の施解錠装置を用いて門扉の内側から外側に退門する場合には、前記門扉の内側から前記閂駆動操作機構を操作して前記閂を前記閂受けから外す工程と、前記門扉を開いて内側から外側へ退門し、前記門扉の外側から前記カバー部材施解錠手段を解錠して前記カバー部材を開く工程と、前記門扉の外側から前記閂駆動操作機構を操作して前記閂を前記閂受けに挿着させる工程と、前記カバー部材を閉じて前記カバー部材施解錠手段を施錠する工程との各操作を行えばよく（請求項７）、また、次に退門しようとする者も同様の操作を繰り返せばよく、セキュリティーを確保しつつ退門することが可能となる。このような構成においても、内側からは、閂駆動操作機構を操作して閂を閂受けから外すだけで外側へ出られるので、退出したい場合に速やかな退門を実現することが可能となる。
【００１５】
また、開口部を備えた門扉の施解錠装置においては、前記閂を前記閂受けに挿着した状態で前記門扉の外側から前記閂を施解錠する閂施解錠手段を更に設けてもよい（請求項３）。
【００１６】
このような構成において、門扉の外側から内側に入門する場合には、最初の入門者は、前記門扉の外側から前記カバー部材施解錠手段を解錠して前記カバー部材を開く工程と、前記閂施解錠手段を解錠して前記閂を前記閂受けから外す工程と、前記カバー部材を閉じて前記カバー部材施解錠手段を施錠する工程と、前記門扉を開いて外側から内側に入門し、前記門扉の内側から前記開口部を介して前記閂を操作することで該閂を前記閂受けに挿着させる工程との各操作を行い、最初の入門者以外の入門者（二人目以降の入門者）は、前記門扉の外側から前記カバー部材施解錠手段を解錠して前記カバー部材を開く工程と、前記閂を前記閂受けから外す工程と、前記カバー部材を閉じて前記カバー部材施解錠手段を施錠する工程と、前記門扉を開いて外側から内側に入門し、前記門扉の内側から前記開口部を介して前記閂を操作することで該閂を前記閂受けに挿着させる工程との各操作を行えばよく（請求項８）、入門しようとする本人の解錠操作のみによって入門することが可能となる。
【００１７】
また、門扉の内側から外側に退門する場合には、最後の退門者以外の退門者は、前記門扉の内側から前記開口部を介して前記閂を操作することで該閂を前記閂受けから外す工程と、前記門扉を開いて内側から外側へ退門し、前記門扉の外側から前記カバー部材施解錠手段を解錠して前記カバー部材を開く工程と、前記閂を前記閂受けに挿着する工程と、前記カバー部材を閉じて前記カバー部材施解錠手段を施錠する工程の各操作を行い、最後の退門者は、前記門扉の内側から前記開口部を介して前記閂を操作することで該閂を前記閂受けから外す工程と、前記門扉を開いて内側から外側へ退門し、前記門扉の外側から前記カバー部材施解錠手段を解錠して前記カバー部材を開く工程と、前記閂を前記閂受けに挿着して前記閂施解錠手段を施錠する工程と、前記カバー部材を閉じて前記カバー部材施解錠手段を施錠する工程との各操作を行えばよく（請求項９）、セキュリティーを確保しつつ退門することが可能となり、また、内側からは、閂駆動操作機構を操作して閂を閂受けから外すだけで外側へ出られるので、退出したい場合に速やかな退門を実現することが可能となる。
【発明の効果】
【００１８】
以上述べたように、請求項１に係る門扉の施解錠装置及びこれを用いた請求項４及び５に係る施解錠方法によれば、入門者が門扉の外側から内側に入る都度、カバー部材が外側から施錠されると共に門扉を閂によって入門者が内側から施錠することができるので、入門中のセキュリティーを確保することができ、また、開口部がカバー部材で塞がれるので、開口部からの小動物の侵入を防ぐことができる。さらに、次の入門者の入門を本人の解錠操作のみによって実現することができるので、わざわざ入門者を呼び出す煩わしさがなく、また、内側からから開口部を介して容易に閂を外すことができるので、内側から退出したい場合に容易に退門することも可能となる。
【００１９】
請求項２に係る門扉の施解錠装置及びこれを用いた請求項６及び７に係る施解錠方法によれば、入門者が門扉の外側から内側に入る都度、カバー部材が外側から施錠されると共に門扉を閂によって入門者が内側から施錠することができるので、入門中のセキュリティーを確保することが可能となる。また、次の入門者の入門を本人の解錠操作のみによって実現することができるので、入門者をわざわざ呼び出す煩わしさがなく、また、内側から閂駆動機構を操作して容易に閂を外すことができるので、内側から退出したい場合に容易に退門することも可能となる。
【００２０】
請求項３に係る門扉の施解錠装置及びこれを用いた請求項８及び９に係る施解錠方法によれば、上述した効果に加え、入門者がいない場合の門扉の施錠を閂の施錠とカバー部材の施錠とによって確保することができるので、セキュリティーを更に強化することが可能となる。
【発明を実施するための最良の形態】
【００２１】
以下、この発明の最良の実施形態を添付図面を参照しながら説明する。
【００２２】
図１において、本発明に係る施解錠装置１を制御所，発電所，変電所，開閉所などの電気所の周囲に施設された網状フェンスや門柱間に設置される門扉２に設けた例が示され、特にこの例においては、門扉２を両開き扉で構成し、これら両方の門扉２ａ，２ｂのめし合わせ部分に施解錠装置１が設けられている。
【００２３】
この施解錠装置１は、回動自在に配された一方の門扉２ａの外側面に閂ガイド３，４が摺動可能に挿通する第１及び第２の閂ガイド３，４が固定され、他方の門扉２ｂの外側面に閂５の先端部が挿脱される閂受け６が固定されている。また、一方の門扉２ａの外側面には、第１の起立挿入片７が一体に突出形成されている。この第１の起立挿入片７は、閂ガイド４と閂受け６との間で閂５よりも下方の位置に設けられている。
【００２４】
閂５には、閂ガイド４と閂受け６との間の部分に径方向に突出する第１の係止片１０が一体に形成されている。この第１の係止片１０には、前記第１の起立挿入片７を挿通可能とする挿通溝１０ａが形成されている。
【００２５】
したがって、閂５をその軸方向に移動させて先端部を閂受け６に挿入し、この状態を維持しつつ閂５を軸心周りに回転させて第１の係止片１０の挿通溝１０ａに第１の起立挿入片７を挿入すれば、門扉２を施錠できるようになっている。
【００２６】
また、一方の門扉２ａには、前記閂５及び閂受け６を覆蓋可能に開閉するカバー部材１２が設けられている。このカバー部材１２は、門扉２と対峙する部分のみが開放された例えば直方体形状のもので、一方の門扉２ａに直接又は門扉２ａに付設された支持プレート１３に取り付けられる蝶番１４を介して上端部が固定され、この蝶番１４を中心に回動させることで開閉可能としている。
【００２７】
さらに、一方の門扉２ａの外側面には、第２の起立挿入片１５が一体に突出形成されている。この第２の起立挿入片１５は、第１の起立挿入片７よりも下方の位置に設けられ、先端部には、南京錠１６の錠腕１６ａを挿入可能とする錠孔１５ａが穿設されている。また、カバー部材１２の下端部には、下方へ突出する第２の係止片１７が一体に形成されている。この第２の係止片１７には、前記第２の起立挿入片１５を挿通可能とする挿通溝１７ａが形成されている。
【００２８】
したがって、カバー部材１２を閉めて第２の係止片１７の挿通溝１７ａに第２の起立挿入片１５を挿入し、この第２の起立挿入片１５の挿通溝１７ａから突出した先端部の錠孔１５ａに南京錠１６の錠腕１６ａを挿入すればカバー部材１２を施錠できるようになっている。この第２の起立挿入片１５、第２の係止片１７、及び南京錠１６によってカバー部材１２を閂５及び閂受け６を覆蓋した状態で門扉２の外側から施解錠するカバー部材施解錠手段が構成されている。
【００２９】
また、第１の門扉２ａのカバー部材１２で覆蓋された部分には開口部２０が設けられている。この例において開口部２０は、カバー部材１２で覆われた門扉２ａの金網部分の一部を矩形状に切除し、必要に応じて枠体を取り付けることで構成されており、門扉２の内側から容易に手を出し入れできる程度の大きさに形成されている。
【００３０】
以上の構成において、閂５が閂受け６に挿着され、また、閂５及び閂受け６がカバー部材１２で覆蓋され、カバー部材１２が南京錠１６によって施錠されている図２に示された状態において、最初の入門者は、次のような操作を行う。
【００３１】
先ず、門扉２の外側から第２の立設挿入片１５に取り付けられている南京錠１６を外して（カバー部材施解錠手段を解錠して）、カバー部材１２を蝶番１４を中心に上方へ回動させて開ける（図３）。
【００３２】
次に、門扉２の外側から第１の係止片１０を手で持ち、この第１の係止片１０を閂５の軸心周りに回転させて第１の立設挿入片７から外し、また、閂５の軸方向にスライドさせて閂５の先端部を閂受け６から外す（図４）。
【００３３】
そして、閂５を閂受け６から外した状態を保持しつつ、カバー部材１２を蝶番１４を中心に下方へ回動させて閉じ、第２の係止片１７の挿通溝１７ａに第２の立設挿入片１５を挿通させ、その立設挿入片１５の先端部に設けられている錠穴１５ａに南京錠１６の錠腕１６ａを通して施錠（カバー部材施解錠手段を施錠）する（図５）。
【００３４】
その後、門扉２ａを開いて外側から内側に入門し、門扉２ａを閉じた後に門扉２ａの内側から開口部２０に手を入れて第１の係止片１０を手で持ち、この第１の係止片１０を閂５の軸方向にスライドさせて閂５の先端部を閂受け６に挿着させると共に閂５の軸心周りに回転させて挿通溝１０ａに第１の起立挿入片７を挿入させる（図２）。
【００３５】
したがって、最初の入門者の上述した一連の操作（図２→図３→図４→図５→図２）により、入門前の状態が形成されるので、最初の入門者が入門した後においては、門扉２は内側から閂５によって閉められ、また、カバー部材１２は南京錠１６によって施錠された状態になるので、外側から部外者が門扉２を開けて進入する虞はなく、また、開口部２０はカバー部材１２で塞がれているので、この開口部２０を介して小動物が内側に侵入する虞もなくなる。
【００３６】
以上の施解錠操作は、二人目以降の入門者（最初の入門者以外の入門者）に対しても、同様に行えばよい。
【００３７】
したがって、二人目以降の入門者についても、上述した一連の操作（図２→図３→図４→図５→図２）により最初の入門者と同様に入門できるので、既に入門している入門者の手助けを必要とせず、入門しようとする本人の施解錠操作のみによって入門することが可能となる。また、入門後は、入門前の状態が形成されるので、部外者の侵入を防ぐことが可能となると共に、開口部２０からの小動物の侵入も防ぐことが可能となる。
【００３８】
以上の入門操作に対して退門時の操作は上述した操作の逆を行えばよく、各退門者は、図２に示される状態において、門扉２ａの内側から開口部２０に手を入れて第１の係止片１０を手で持ち、この第１の係止片１０を閂５の軸心周りに回転させて第１の立設挿入片７から外し、また、閂５の軸方向にスライドさせて閂５の先端部を閂受け６から外す（図５）。
【００３９】
次に、門扉２ａ開いて内側から外側へ退門し、門扉２ａを閉じた後に門扉２ａの外側から第２の立設挿入片１５に取り付けられている南京錠１６を外して（カバー部材施解錠手段を解錠して）、カバー部材１２を蝶番１４を中心に上方へ回動させて開ける（図４）。
【００４０】
その後、第１の係止片１０を手で持ち、この第１の係止片１０を閂５の軸方向にスライドさせて閂５の先端部を閂受け６に挿着させると共に閂５の軸心周りに回転させて挿通溝１０ａに第１の起立挿入片７を挿入させる（図３）。
【００４１】
そして、カバー部材１２を蝶番１４を中心に下方へ回動させて閉じ、係止片１７の挿通溝１７ａに第２の立設挿入片１５を挿通させ、その立設挿入片１５の先端部に設けられている錠穴１５ａに南京錠１６の錠腕１６ａを通して施錠（カバー部材施解錠手段を施錠）する（図２）。
【００４２】
したがって、各入門者は、門扉２の内側から外側へ出たい場合に、内側から開口部２０を介して閂５を外せば門扉２ａを開門させることができるので、退出したいときに速やかに退門することが可能となる。また、退門した後も、門扉２は閂５で閉められ、また、カバー部材１２も南京錠１６で施錠されるので、セキュリティー上も問題はなく、開口部２０もカバー部材１２によって塞がれるので、小動物の侵入も阻止することが可能となる。
【００４３】
以上の構成においては、第１の係止片１０を直接手で持って操作することで閂５を閂受け６に挿脱させるものであったが、開口部２０を設けることに代えて、閂５を門扉２の内側及び外側から駆動させて閂受け６に挿脱させる閂駆動操作機構を設けるようにしてもよい。
【００４４】
閂駆動操作機構の具体的な構成例としては、例えば、図６に示されるように、門扉２の内側及び外側に設けられて同軸上に連結された回転ノブ２１，２２とこれらの回転ノブ２１，２２と一体に回転する揺動杆２３とを備え、閂５の中程、この例においては、閂ガイド３と閂ガイド４との間に位置する閂５の側面に係合ピン２４を設け、この係合ピン２４を揺動杆２３に形成された係合溝２５に係合し、回転ノブ２１，２２を回動させることで揺動杆２３を回動させ、これにより閂５を軸方向に進退させるような構成が考えられる。
【００４５】
このような構成においては、第１の係止片１０を手で持って操作する代わりに回転ノブ２１，２２を回転させて閂５の先端部を閂受け６に挿脱させればよく、入門者に対しては、次のような操作を行えばよい。尚、この構成例においては、第１の係止片１０を手で持って操作する代わりに回転ノブ２１，２２を回転させて閂５を動かす違いがあるだけで、他の構成は前記構成例と同様であるので、同一箇所に同一符号を付して説明を省略し、また、以下の施解錠操作の説明においては、前記構成例で使用した図面を代用する。
【００４６】
先ず、閂５が閂受け６に挿着され、また、閂５及び閂受け６がカバー部材１２で覆蓋され、カバー部材１２が南京錠１６によって施錠されている状態において、最初の入門者は、門扉２の外側から第２の立設挿入片１５に取り付けられている南京錠１６を外して（カバー部材施解錠手段を解錠して）、カバー部材１２を蝶番１４を中心に上方へ回動させて開ける（図３に相当）。
【００４７】
次に、操作ノブ２１を回転させて閂５を軸方向にスライドさせ、閂５の先端部を閂受け６から外した状態を形成する（図４に相当）。
【００４８】
次に、カバー部材１２を蝶番１４を中心に下方へ回動させて閉じ、第２の係止片１７の挿通溝１７ａに第２の立設挿入片１５を挿通させ、その立設挿入片１５の先端部に設けられている錠穴１５ａに南京錠１６の錠腕１６ａを通して施錠（カバー部材施解錠手段を施錠）する（図５に相当）。
【００４９】
その後、門扉２ａを開いて外側から内側に入門し、門扉２ａを閉じた後に門扉２ａの内側から回転ノブ２２を回転させて閂５を軸方向にスライドさせ、閂５の先端部を閂受け６に挿着させる（図２に相当）。
【００５０】
以上の施解錠操作は、二人目以降の入門者（最初の入門者以外の入門者）に対しても、同様に行えばよい。
【００５１】
したがって、以上の構成においても、最初の入門者が入門した後においては、門扉２は閂５によって閉められ、また、カバー部材１２は南京錠１６によって施錠された状態になるので、外側から部外者が門扉２を開けて進入する虞はなく、また、この構成例においては、係止片１０を操作するために手を入れる開口部を必要としないので、加工する手間を減らすことが可能となる。
【００５２】
以上の入門操作に対して退門時の操作は上述した操作の逆を行えばよく、いずれの退門者に対しても、以下の操作を行う。
まず、門扉２が閂５により施錠されている状態において、門扉２の内側から回転ノブ２２を回転させて閂５を軸方向にスライドさせ、閂５を閂受け６から外す（図５に相当）。
【００５３】
次に、門扉２ａを開いて内側から外側へ退門し、門扉２ａを閉じた後に門扉２の外側から第２の立設挿入片１５に取り付けられている南京錠１６を外して（カバー部材施解錠手段を解錠して）、カバー部材１２を蝶番１４を中心に上方へ回動させて開ける（図４に相当）。
【００５４】
その後、門扉２ａの外側から回転ノブ２１を回転させて閂５を閂受け６に挿着させる（図３に相当）。
【００５５】
そして、カバー部材１２を蝶番１４を中心に下方へ回動させて閉じ、係止片１７の挿通溝１７ａに第２の立設挿入片１５を挿通させ、その立設挿入片１５の先端部に設けられている錠穴１５ａに南京錠１６の錠腕１６ａを通して施錠（カバー部材施解錠手段を施錠）する（図２に相当）。
【００５６】
したがって、入門者は、門扉２の内側から外側へ出たい場合には、内側から回転ノブ２２を回転させて閂５を外せば門扉２を開門させることができるので、退出したいときに速やかに退門することが可能となる。また、退門した後も、門扉２は閂５で閉められ、また、カバー部材１２も南京錠１６で施錠されるので、セキュリティー上も問題はなく、開口部もないことから小動物の侵入も避けることが可能となる。
【００５７】
図７において、図１で示す施解錠装置の変形例が示されている。この例においては、閂を閂受けに挿着した状態で門扉の外側から閂を施解錠する閂施解錠手段が更に設けられている点で図１の構成と異なる。即ち、図１で示される構成に対して、第１の起立挿入片７の先端部に、第１の南京錠１８の錠腕１８ａを挿入可能とする錠孔７ａが穿設されている。
【００５８】
したがって、閂５をその軸方向に移動させて先端部を閂受け６に挿入し、この状態を維持しつつ閂５を軸心周りに回転させて第１の係止片１０の挿通溝１０ａに第１の起立挿入片７を挿入し、この第１の起立挿入片７の挿通溝１０ａから突出した先端部の錠孔７ａに第１の南京錠１８の錠腕１８ａを挿入すれば閂５を施錠できるようになっている。この第１の起立挿入片７、第１の係止片１０、及び第１の南京錠１８によって閂５を閂受け６に挿着した状態で門扉２の外側から施解錠する閂施解錠手段が構成されている。
【００５９】
また、図１の構成と同様に、一方の門扉２ａの外側面に設けられた第２の起立挿入片１５の先端部には、第２の南京錠１９の錠腕１９ａを挿入可能とする錠孔１５ａが穿設されている。
尚、他の構成は、図１の構成例と同様であるので、同一箇所に同一番号を付して説明を省略する。
【００６０】
このような構成において、閂５が閂受け６に挿着されて閂５が第１の南京錠１８によって施錠され、また、閂５及び閂受け６がカバー部材１２で覆蓋されてカバー部材１２が第２の南京錠１９によって施錠された図８に示す状態において、最初の入門者は、次のような操作を行う。
【００６１】
先ず、門扉２の外側から第２の立設挿入片１５に取り付けられている第２の南京錠１９を外して（カバー部材施解錠手段を解錠して）、カバー部材１２を蝶番１４を中心に上方へ回動させて開ける（図９）。
【００６２】
次に、門扉の外側から第１の立設挿入片７に取り付けられている第１の南京錠１８を外して（閂施解錠手段を解錠して）、第１の係止片１０を手で持ち、この係止片１０を閂５の軸心周りに回転させて第１の立設挿入片７から外し、また、閂５の軸方向にスライドさせて閂５の先端部を閂受け６から外す（図１０）。
【００６３】
そして、閂５を閂受け６から外した状態を保持しつつ、カバー部材１２を蝶番１４を中心に下方へ回動させて閉じ、第２の係止片１７の挿通溝１７ａに第２の立設挿入片１５を挿通させ、その立設挿入片１５の先端部に設けられている錠穴１５ａに第２の南京錠１９の錠腕１９ａを通して施錠（カバー部材施解錠手段を施錠）する（図１１）。
【００６４】
その後、門扉２ａを開いて外側から内側に入門し、門扉２ａを閉じた後に門扉２ａの内側から開口部２０に手を入れて第１の係止片１０を手で持ち、この第１の係止片１０を閂５の軸方向にスライドさせて閂５の先端部を閂受け６に挿着させると共に閂５の軸心周りに回転させて挿通溝１０ａに第１の起立挿入片７を挿入させる（図１２）。
【００６５】
したがって、最初の入門者の上述した一連の操作（図８→図９→図１０→図１１→図１２）により、最初の入門者が入門した後においては、門扉２は内側から閂５によって閉められ、また、カバー部材１２は第２の南京錠１９によって施錠された状態になるので、外側から部外者が門扉２を開けて進入する虞はなく、また、開口部２０はカバー部材１２で塞がれているので、この開口部２０を介して小動物が内側に侵入する虞もなくなる。
【００６６】
このような施錠状態に対して、二人目以降の入門者（最初の入門者以外の入門者）は、次のような操作を行う。
先ず、門扉２の外側から第２の立設挿入片１５に取り付けられている第２の南京錠１９を外して（カバー部材施解錠手段を解錠して）、カバー部材１２を蝶番１４を中心に上方へ回動させて開ける（図１３）。
【００６７】
次に、閂５はすでに解錠されているので、第１の係止片１０を手で持ち、この第１の係止片１０を閂５の軸心周りに回転させて第１の立設挿入片７から外し、また、閂５の軸方向にスライドさせて閂５の先端部を閂受け６から外す（図１０）。
【００６８】
次に、閂５を閂受け６から外した状態を保持しつつ、カバー部材１２を蝶番１４を中心に下方へ回動させて閉じ、第２の係止片１７の挿通溝１７ａに第２の立設挿入片１５を挿通させ、その立設挿入片１５の先端部に設けられている錠穴１５ａに第２の南京錠１９の錠腕１６ａを通して施錠（カバー部材施解錠手段を施錠）する（図１１）。
【００６９】
その後、門扉２ａを開いて外側から内側に入門し、門扉２ａを閉じた後に門扉２ａの内側から開口部２０に手を入れて第１の係止片１０を手で持ち、この係止片１０を閂５の軸方向にスライドさせて閂５の先端部を閂受け６に挿着させると共に閂５の軸心周りに回転させて第１の係止片１０の挿通溝１０ａに第１の起立挿入片７を挿入させる（図１２）
【００７０】
したがって、二人目以降の入門者は、上述した一連の操作（図１２→図１３→図１０→図１１→図１２）により入門できるので、既に入門している入門者の手助けを必要とせず、入門しようとする本人の施解錠操作のみによって入門することが可能となる。また、入門後は、入門前の状態が形成されるので、部外者の侵入を防ぐことが可能となると共に、開口部２０からの小動物の侵入も防ぐことが可能となる。
【００７１】
以上の入門操作に対して退門時の操作は上述した操作の逆を行えばよく、最後の退門者以外の退門者は、図１２に示される状態において、門扉２ａの内側から開口部２０に手を入れて第１の係止片１０を手で持ち、この第１の係止片１０を閂５の軸心周りに回転させて第１の立設挿入片７から外し、また、閂５の軸方向にスライドさせて閂５の先端部を閂受け６から外す（図１１）。
【００７２】
次に、門扉２ａ開いて内側から外側へ退門し、門扉２ａを閉じた後に門扉２ａの外側から第２の立設挿入片１５に取り付けられている第２の南京錠１９を外して（カバー部材施解錠手段を解錠して）、カバー部材１２を蝶番１４を中心に上方へ回動させて開ける（図１０）。
【００７３】
その後、第１の係止片１０を手で持ち、この第１の係止片１０を閂５の軸方向にスライドさせて閂５の先端部を閂受け６に挿着させると共に閂５の軸心周りに回転させて挿通溝１０ａに第１の起立挿入片７を挿入させる（図１３）。
【００７４】
そして、カバー部材１２を蝶番１４を中心に下方へ回動させて閉じ、係止片１７の挿通溝１７ａに第２の立設挿入片１５を挿通させ、その立設挿入片１５の先端部に設けられている錠穴１５ａに第２の南京錠１９の錠腕１９ａを通して施錠（カバー部材施解錠手段を施錠）する（図１２）。
【００７５】
したがって、入門者は、門扉２の内側から外側へ出たい場合に、内側から開口部２０を介して閂５を外せば門扉２ａを開門させることができるので、退出したいときに速やかに退門することが可能となる。また、退門した後も、門扉２は閂５で閉められ、また、カバー部材１２も第２の南京錠１９で施錠されるので、セキュリティー上も問題はなく、開口部２０もカバー部材１２によって塞がれるので、小動物の侵入も阻止することが可能となる。
【００７６】
以上のような一連の施解錠操作（図１２→図１１→図１０→図１３→図１２））に対して、最後の退門者は、次のような操作を行う。
先ず、門扉２ａの内側から開口部２０に手を入れて第１の係止片１０を手で持ち、この第１の係止片１０を閂５の軸心周りに回転させて第１の立設挿入片７から外し、また、閂５の軸方向にスライドさせて閂５の先端部を閂受け６から外す（図１１）。
【００７７】
次に、門扉２ａを開いて内側から外側へ退門し、門扉２ａを閉じた後に門扉２ａの外側から第２の立設挿入片１５に取り付けられている第２の南京錠１９を外して（カバー部材施解錠手段を解錠して）、カバー部材１２を蝶番１４を中心に上方へ回動させて開ける（図１０）。
【００７８】
そして、第１の係止片１０を手で持ち、この第１の係止片１０を閂５の軸方向にスライドさせて閂５の先端部を閂受け６に挿着させると共に閂５の軸心周りに回転させて挿通溝１０ａに第１の起立挿入片７を挿入させ、第１の立設挿入片７の先端部の錠穴７ａに第１の南京錠１８の錠腕１８ａを通して施錠（閂施解錠手段を施錠）する（図９）。
【００７９】
その後、カバー部材１２を蝶番１４を中心に下方へ回動させて閉じ、第２の係止片１７の挿通溝１７ａに第２の立設挿入片１５を挿通させ、その立設挿入片１５の先端部に設けられている錠穴１５ａに第２の南京錠１９の錠腕１９ａを通して施錠（カバー部材施解錠手段を施錠）する（図８）。
【００８０】
このように、最後の退門者の一連の施解錠操作（図１２→図１１→図１０→図９→図８）により、最後の退門者が退門した後は、門扉２が閂５で閉められると共に、閂５自体も第１の南京錠１８で施錠され、その上でカバー部材１２が第２の南京錠１９で施錠されるので、強固なセキュリティーを確保することが可能となる。
【００８１】
尚、以上の構成においては、門扉２を両開きの２枚の扉で構成し、両方の門扉２ａ，２ｂのめし合わせ部分に施解錠装置１を設けた例を示したが、門扉２を片開き扉で構成し、隣接する門柱に閂受け６を設けて門扉と門柱との合わせ部分に同様の施解錠装置１を設けるようにしてもよい。また、閂が付設されている既設の門扉に対して、カバー部材１２を取り付けて上述のように改造すれば、門扉全体を交換することなく、セキュリティーの向上を図ることが可能となる。
【図面の簡単な説明】
【００８２】
【図１】図１は、本発明に係る門扉の施解錠装置の構成例を示す斜視図である。
【図２】図２は、図１の施解錠装置を用いた施解錠操作例を示す図であり、閂が閂受けに挿着された状態でカバー部材が施錠されている状態を示す図である。
【図３】図３は、図１の施解錠装置を用いた施解錠操作例を示す図であり、閂が閂受けに挿着された状態でカバー部材が解錠されて開けられている状態を示す図である。
【図４】図４は、図１の施解錠装置を用いた施解錠操作例を示す図であり、カバー部材が解錠されて開けられ、閂が閂受けから外された状態を示す図である。
【図５】図５は、図１の施解錠装置を用いた施解錠操作例を示す図であり、閂が閂受けから外された状態でカバー部材が施錠されている状態を示す図である。
【図６】図６は、門扉の施解錠装置の他の構成例を示す図であり、図６（ａ）は門扉の外側から見た図であり、図６（ｂ）は門扉の内側から見た図である。
【図７】図７は、図１に示す門扉の施解錠装置の変形例を示す斜視図である。
【図８】図８は、図７の施解錠装置を用いた施解錠操作例を示す図であり、閂およびカバー部材が施錠されている状態を示す図である。
【図９】図９は、図７の施解錠装置を用いた施解錠操作例を示す図であり、カバー部材が解錠されて開けられ、閂が施錠されている状態を示す図である。
【図１０】図１０は、図７の施解錠装置を用いた施解錠操作例を示す図であり、カバー部材が解錠されて開けられ、閂が解錠されて閂受けから外された状態を示す図である。
【図１１】図１１は、図７の施解錠装置を用いた施解錠操作例を示す図であり、閂が閂受けから外された状態でカバー部材が施錠されている状態を示す図である。
【図１２】図１２は、図７の施解錠装置を用いた施解錠操作例を示す図であり、閂が解錠された状態で閂受けに挿着され、カバー部材が施錠されている状態を示す図である。
【図１３】図１３は、図７の施解錠装置を用いた施解錠操作例を示す図であり、閂が解錠された状態で閂受けに挿着され、カバー部材が解錠されて開けられている状態を示す図である。
【符号の説明】
【００８３】
１  施解錠装置
２，２ａ，２ｂ  門扉
５  閂
６  閂受け
７  第１の起立挿入片
１０  第１の係止片
１２  カバー部材
１５  第２の起立挿入片
１６  南京錠
１７  第２の係止片
１８  第１の南京錠
１９  第２の南京錠
２０  開口部
２１，２２  回転ノブ
２３  揺動杆
【図１】
0004540586.tif 000002
【図２】
0004540586.tif 000003
【図３】
0004540586.tif 000004
【図４】
0004540586.tif 000005
【図５】
0004540586.tif 000006
【図６】
0004540586.tif 000007
【図７】
0004540586.tif 000008
【図８】
0004540586.tif 000009
【図９】
0004540586.tif 000010
【図１０】
0004540586.tif 000011
【図１１】
0004540586.tif 000012
【図１２】
0004540586.tif 000013
【図１３】
0004540586.tif 000014